(57)【要約】【課題】携帯電話端末などをリモコン装置と兼用するリモコンシステムにおいて、予め被制御装置の制御コードを携帯電話端末に登録する必要をなくすと共に、既存の電子装置を含むどのような電子装置の制御も可能にする。【解決手段】リモコン機能を有する携帯電話端末１と、携帯電話端末１により遠隔制御される被制御装置２とを有する。携帯電話端末１は、携帯電話端末本来の操作およびリモコン操作を兼用するキー入力部１３と、センタ装置３からダウンロードした被制御装置２のリモコン制御コードを格納する記憶部１４と、キー入力部１３の操作に従ってリモコン制御コードを被制御装置２へ送信する制御コード送信部１６とを具備する。【選択図】　図１
2004128859.tif 000002
【特許請求の範囲】
【請求項１】
リモコン機能を有する携帯電子装置と、前記携帯電子装置により遠隔制御される被制御装置とを有するリモコンシステムにおいて、
前記携帯電子装置は、前記携帯電子装置本来の操作およびリモコン操作を兼用するキー入力部と、外部装置からダウンロードした前記被制御装置のリモコン制御コードを格納する制御コード記憶部と、前記キー入力部の操作に従って前記リモコン制御コードを前記被制御装置へ送信する制御コード送信部とを具備することを特徴とするリモコンシステム。
【請求項２】
前記携帯電子装置は携帯電話端末であり、前記携帯電話端末の通信機能を用いて前記被制御装置のリモコン制御コードをダウンロードすることを特徴とする請求項１記載のリモコンシステム。
【請求項３】
前記携帯電子装置は、携帯情報端末であり、前記携帯情報端末に外部接続された無線通信装置を用いて前記被制御装置のリモコン制御コードをダウンロードすることを特徴とする請求項１記載のリモコンシステム。
【請求項４】
前記携帯電子装置は、前記外部装置に対して、前記被制御装置の識別コードを送信し、前記外部装置は、前記識別コードにより特定される被制御装置のリモコン制御コードを前記携帯電子装置へ送信することを特徴とする請求項１記載のリモコンシステム。
【請求項５】
前記携帯電子装置は、表示部を具備し、前記被制御装置を特定するための情報のリストを前記表示部に表示し、前記キー入力部により前記リストから前記被制御装置を選択することを特徴とする請求項４記載のリモコンシステム。
【請求項６】
前記携帯電子装置および前記被制御装置は、互いに狭域通信を行うための狭域通信部を具備し、前記携帯電子装置は、前記被制御装置から前記狭域通信により受信した前記被制御装置の識別コードを前記外部装置へ送信することを特徴とする請求項４記載のリモコンシステム。
【請求項７】
前記携帯電子装置および前記被制御装置は、互いに狭域通信を行うための狭域通信部を具備し、前記携帯電子装置は、前記狭域通信が可能であることを検出したときに前記リモコン操作を可能にすることを特徴とする請求項１記載のリモコンシステム。
【請求項８】
前記携帯電子装置および前記被制御装置は、互いに狭域通信を行うための狭域通信部を具備し、前記携帯電子装置の狭域通信部は、前記制御コード送信部を兼用しており、前記狭域通信部によりリモコン制御コードを前記被制御装置へ送信することを特徴とする請求項１記載のリモコンシステム。
【請求項９】
前記携帯電子装置は、表示部、および前記被制御装置と狭域通信を行うための狭域通信部を具備し、前記被制御装置は、前記携帯電子装置と狭域通信を行うための狭域通信部を具備し、前記被制御装置の状態データを互いの狭域通信部により前記被制御装置から前記携帯電子装置へ伝送し、前記表示部の表示画像を前記状態データに同期させることを特徴とする請求項１記載のリモコンシステム。
【請求項１０】
リモコン機能を有する携帯電子装置において、前記携帯電子装置本来の操作およびリモコン操作を兼用するキー入力部と、外部装置からダウンロードした被制御装置のリモコン制御コードを格納する制御コード記憶部と、前記キー入力部の操作に従って前記リモコン制御コードを前記被制御装置へ送信する制御コード送信部とを具備することを特徴とする携帯電子装置。
【請求項１１】
リモコン機能を有する携帯電子装置により遠隔制御される被制御装置において、前記携帯電子装置と狭域通信を行うための狭域通信部を具備し、前記携帯電子装置に対して前記被制御装置の識別コードを送信することを特徴とする被制御装置。
【請求項１２】
リモコン機能を有する携帯電子装置により被制御装置を遠隔制御するリモコン方法において、前記被制御装置のリモコン制御コードを外部装置からダウンロードし、前記リモコン制御コードを用いて前記被制御装置を遠隔制御することを特徴とするリモコン方法。
【発明の詳細な説明】
【０００１】
【発明の属する技術分野】
本発明は、リモコンシステムに関し、特に携帯電話端末や携帯情報端末（ＰＤＡ）などの携帯電子装置を用いてテレビジョン受信機やエアコンディショナー（以下、エアコンという）などの電子装置の遠隔制御を行うリモコンシステムに関する。
【０００２】
【従来の技術】
携帯電話端末を利用して、テレビジョン受信機やエアコンなどの各種電子装置の遠隔制御（リモート・コントロール）を可能にしたリモコンシステムとして、通話モードとリモコンモードとに切り換え可能な携帯電話端末を用い、そのリモコンモードの時に、携帯電話端末から発信されるリモコン制御コード（リモコン信号）によって、各種電子装置の遠隔制御を可能にしたリモコンシステムがあった（特許文献１参照）。このリモコンシステムによれば、携帯電話端末の汎用性が増大すると共に、各種電子装置のための専用のリモコン装置が不要となるため、それらの電子装置のコストを低減できるとされる。
【０００３】
【特許文献１】
特開平１０−２７６４８０号公報（段落０００６、０００７）
【０００４】
【発明が解決しようとする課題】
前記特許文献１に記載のリモコンシステムは、予め携帯電話端末に制御対象である各種電子装置（以下、被制御装置という）のリモコン制御コードを登録しておくことが必要であった。また、携帯電話端末と被制御装置との組み合わせが一義となり、汎用性に乏しかった。さらに、既存の電子装置を制御することはできなかった。
【０００５】
本発明は、このような問題を解決するためになされたもので、携帯電話端末などの携帯電子装置をリモコン装置と兼用するリモコンシステムにおいて、予め被制御装置のリモコン制御コードを携帯電子端末に登録する必要のないリモコンシステムを提供することを目的とする。
【０００６】
また、本発明は、携帯電話端末などの携帯電子装置により、既存の電子装置を含むどのような電子装置の制御も可能にしたリモコンシステムを提供することを目的とする。
【０００７】
【問題を解決するための手段】
本発明のリモコンシステムは、リモコン機能を有する携帯電子装置と、前記携帯電子装置により遠隔制御される被制御装置とを有するリモコンシステムにおいて、前記携帯電子装置は、前記携帯電子装置本来の操作およびリモコン操作を兼用するキー入力部と、外部装置からダウンロードした前記被制御装置のリモコン制御コードを格納する制御コード記憶部と、前記キー入力部の操作に従って前記リモコン制御コードを前記被制御装置へ送信する制御コード送信部とを具備することを特徴とする。この構成により、予め被制御装置のリモコン制御コードを携帯電子装置に登録しておかなくても、必要時に外部装置から被制御装置のリモコン制御コードをダウンロードすることで携帯電子装置を被制御装置の遠隔制御用のリモコン装置としても使用することができると共に、外部装置に既存の電子装置を含む多種多様な被制御装置のリモコン制御コードを登録しておくことで携帯電子装置を多種多様な被制御装置の遠隔制御用のリモコン装置としても使用することができる。
【０００８】
また、本発明のリモコンシステムは、前記携帯電子装置が携帯電話端末であり、前記携帯電話端末の通信機能を用いて前記被制御装置のリモコン制御コードをダウンロードすることを特徴とする。この構成により、携帯電話端末を多種多様な被制御装置の遠隔制御用のリモコン装置としても使用することができる。
【０００９】
さらに、本発明のリモコンシステムは、前記携帯電子装置が携帯情報端末であり、前記携帯情報端末に外部接続された無線通信装置を用いて前記被制御装置のリモコン制御コードをダウンロードすることを特徴とする。この構成により、携帯情報端末を多種多様な被制御装置の遠隔制御用のリモコン装置としても使用することができる。
【００１０】
そして、本発明のリモコンシステムは、前記携帯電子装置が、前記外部装置に対して、前記被制御装置の識別コードを送信し、前記外部装置が、前記識別コードにより特定される被制御装置のリモコン制御コードを前記携帯電子装置へ送信することを特徴とする。この構成により、携帯電子装置が、遠隔制御を希望する被制御装置を特定し、そのリモコン制御コードをダウンロードすることができる。
【００１１】
また、本発明のリモコンシステムは、前記携帯電子装置が、表示部を具備し、前記被制御装置を特定するための情報のリストを前記表示部に表示し、前記キー入力部により前記リストから被制御装置を選択することを特徴とする。この構成により、携帯電子装置側では被制御装置を特定するための情報をリストから選択するだけで、遠隔制御を希望する被制御装置のリモコン制御コードをダウンロードすることができる。
【００１２】
さらに、本発明のリモコンシステムは、前記携帯電子装置および前記被制御装置が、互いに狭域通信を行うための狭域通信部を具備し、前記携帯電子装置が、前記被制御装置から前記狭域通信により受信した前記被制御装置の識別コードを前記外部装置へ送信することを特徴とする。この構成により、被制御装置の識別コードを被制御装置から狭域通信により自動的に取得し、外部装置へ送信することができる。
【００１３】
そして、本発明のリモコンシステムは、前記携帯電子装置および前記被制御装置が、互いに狭域通信を行うための狭域通信部を具備し、前記狭域通信が可能であることを検出したときに前記リモコン操作を可能にすることを特徴とするこの構成により、携帯電子装置を被制御装置に近づけたり、向けたりすることで狭域通信が可能となり、自動的に携帯電子装置がリモコン装置として使用できる状態となる。
【００１４】
また、本発明のリモコンシステムは、前記携帯電子装置および前記被制御装置が、互いに狭域通信を行うための狭域通信部を具備し、前記携帯電子装置の狭域通信部が制御コード送信部を兼用しており、前記狭域通信部によりリモコン制御コードを前記被制御装置へ送信することを特徴とする。この構成により、制御コード専用の送信部を設けることなく、携帯電子装置を被制御装置の遠隔制御用のリモコン装置としても使用することができる。
【００１５】
さらに、本発明のリモコンシステムは、前記携帯電子装置が、表示部、および前記被制御装置と狭域通信を行うための狭域通信部を具備し、前記被制御装置が、前記携帯電子装置と狭域通信を行うための狭域通信部を具備し、前記被制御装置の状態データを互いの狭域通信部により前記被制御装置から前記携帯電子装置へ伝送し、前記表示部の表示画像を前記状態データに同期させることを特徴とする。この構成により、携帯電子装置の表示部の表示内容を被制御装置の状態データに同期化（連動）させることができる。
【００１６】
【発明の実施の形態】
以下、本発明の実施の形態について図面を用いて説明する。
【００１７】
（第１の実施の形態）
本発明の第１の形態のリモコンシステムは、図１に示すように、携帯電話端末１と、被制御装置２と、センタ装置３とを具備する。携帯電話端末１は、いわゆる携帯電話やＰＨＳ（Ｐｅｒｓｏｎａｌ　Ｈａｎｄｙｐｈｏｎｅ　Ｓｙｓｔｅｍ）などの通話が可能な携帯通信端末である。被制御装置２は、テレビジョン受信機、エアコン、ビデオテープレコーダなどの電子装置である。携帯電話端末１とセンタ装置３とは、携帯電話ネットワーク４により互いに通信を行うことができる。携帯電話端末１は、携帯電話端末としての基本機能である通話機能だけでなく、被制御装置２を遠隔制御するリモコン機能も有する。なお、ここには、被制御装置２が１台のみ図示されているが、携帯電話端末１は、２台以上の多種多様な被制御装置２の制御が可能である。
【００１８】
携帯電話端末１は、制御部１１と、それぞれが制御部１に接続された携帯電話基本部１２、キー入力部１３、記憶部１４、表示部１５、制御コード送信部１６、および狭域通信部１７を具備する。携帯電話基本部１２にはアンテナ１８が接続されている。
【００１９】
被制御装置２は、制御部２１と、それぞれが制御部２１に接続された被制御装置基本部２２、記憶部２３、制御コード受信部２４、および狭域通信部２５を具備する。
センタ装置３は、制御部３１と、それぞれが制御部３１に接続された通信部３２、制御コード検索部３３を具備する。制御コード検索部３３には制御コードデータベース（以下、制御コードＤＢという）３４が接続されている。
【００２０】
携帯電話端末１の制御部１１は、この携帯電話端末１全体の制御などを行う。携帯電話基本部１２は、マイクロホン、スピーカ、変復調回路、増幅回路など、携帯電話端末１の基本機能である通話に関する動作を行う部分である。キー入力部１３は、テンキー、実行キー、スクロールキーなど、ユーザが携帯電話端末１を操作するときに用いるキーである。本実施の形態では、携帯電話端末１が被制御装置２を遠隔制御するリモコン装置としても機能するように構成されており、キー入力部１３のキーがリモコン装置のリモコン制御コードを送信するときにも使用される。記憶部１４には、多種多様な被制御装置の識別コード（品番など）が予め格納されている。また、記憶部１４には、各種被制御装置を制御するためのリモコン制御コードがセンタ装置３よりダウンロードされ格納される。表示部１５は、ＬＣＤ（液晶表示装置）などで構成されており、携帯電話端末１が動作するときに各種情報を表示する。制御コード送信部１６は、携帯電話端末１がリモコン装置として動作するときに、被制御装置２を制御するためのリモコン制御コードを被制御装置２の制御コード受信部２４へ送信する。狭域通信部１７は、被制御装置２の狭域通信部２５との間で、Ｂｌｕｅｔｏｏｔｈ、ＩｒＤＡ（Ｉｎｆｒａｒｅｄ　Ｄａｔａ　Ａｓｓｏｃｉａｔｉｏｎ）などの近距離無線通信を行う。アンテナ１８は、携帯電話基本部１２から出力される高周波信号を電波として携帯電話ネットワーク４へ送信する。また、携帯電話ネットワーク４から受信した電波を高周波信号として携帯電話基本部１２へ出力する。
【００２１】
被制御装置２の制御部２１は、この被制御装置２全体の制御などを行う。被制御装置基本部２２は、被制御装置２の基本機能を有する部分である。例えば、被制御装置２がテレビジョン受信機であれば、受信回路および表示装置などである。記憶部２３には、この被制御装置２の識別コード（品番など）が予め格納されている。制御コード受信部２４は、制御コード送信部１６から送信されるリモコン制御コードを受信する。狭域通信部２５は、携帯電話端末１の狭域通信部１７との間で、Ｂｌｕｅｔｏｏｔｈ、ＩｒＤＡなどの近距離無線通信を行う。ここで、狭域通信部２５は、携帯電話端末１の狭域通信部１７から被制御装置２の識別コードの送信を要求されたときに、記憶部２３に予め格納されている識別コードを狭域通信部１７へ送信する。
【００２２】
センタ装置３の制御部３１は、このセンタ装置３全体の制御などを行う。通信部３２は、携帯電話ネットワーク４に対して信号を送信する。また、携帯電話ネットワーク４から信号を受信する。制御コードＤＢ３４には多種多様な被制御装置２のリモコン制御コードが予め格納されている。制御コード検索部３３は、制御コードＤＢ３４内を検索し、所望のリモコン制御コードを読み出すことができる。
【００２３】
なお、携帯電話端末１の狭域通信部１７および被制御装置２の狭域通信部２５は、ユーザ操作によりオンオフが可能であり、オンオフいずれの場合もリモコン制御が可能である。そして、双方の狭域通信部１７、２５がオンの場合にのみ、識別コードの要求に対する応答が可能である。
【００２４】
以上のように構成されたリモコン制御システムの動作を説明する。図２は、図１の狭域通信部１７または狭域通信部２５をオフにして、互いの狭域通信部１７、２５による識別コードの要求と応答を行わない場合の動作を示すシーケンス図であり、図３は、その場合の表示部１５における表示画像の一例を示す図である。
【００２５】
まず、ユーザは、携帯電話端末１のキー入力部１３を用いて被制御装置２の識別コードを検索し、入力する（図２のステップＡ１）。ここでは、図３の画像Ｂ１に示されているように、制御部１１により記憶部１４から読み出され、表示部１５に表示されているリストの中から被制御装置（図では制御対象機器）としてナビゲーション装置（以下、ナビという）を選択し、次に画像Ｂ２に示すようにナビの品番としてＸＸ−ＹＹＹＹを選択し、さらに画像Ｂ３に示すように被制御装置を制御するためのリモコン制御コードをダウンロードする指令を入力する。ユーザがキー入力部１３から、画像Ｂ１からＢ３に示されている入力を行うと、制御部１１は、携帯電話基本部１２により、ナビＸＸ−ＹＹＹＹのリモコン制御コードを要求するコマンドを携帯電話ネットワーク４経由でセンタ装置３へ送信する。
【００２６】
このコマンドは、通信部３２で受信され、制御部３１へ送られる。制御部３１は、制御コード検索部３３に対して、制御コードＤＢ３４からナビＸＸ−ＹＹＹＹのリモコン制御コードを検索することを指令する。制御コード検索部３３は、ナビＸＸ−ＹＹＹＹのリモコン制御コードを検索し、制御部３１に渡す。制御部３１は、ビＸＸ−ＹＹＹＹのリモコン制御コードを通信部３２を通し、携帯電話ネットワーク４を用いて携帯電話端末１へ送信する（ステップＡ２）。
【００２７】
ナビＸＸ−ＹＹＹＹのリモコン制御コードは、携帯電話基本部１２で受信され、制御部１１へ送られる。制御部１１は、ナビＸＸ−ＹＹＹＹのリモコン制御コードを記憶部１４にダウンロードする（ステップＡ３）。画像Ｂ４は、画像Ｂ３でダウンロード指令を行った後、ダウンロードが完了するまでの間、表示部１５に表示される画像である。
【００２８】
ダウンロードが完了すると、表示部１５には画像Ｂ５が表示される。ユーザがリモコンモードへ移行する指令をキー入力部１３から入力すると、制御部１１の制御により、携帯電話端末１がリモコンモードへ移行する（ステップＡ４）。ここで、携帯電話端末１のキー入力部１３の機能割り付けは、センタ装置３から送られるデータに従って自動的に行っても良いし、ユーザによるカスタマイズを可能にしても良い。
【００２９】
リモコンモードへ移行すると、表示部１５には画像Ｂ６が表示される。ユーザが画像Ｂ６を見ながらキー入力部１３の操作を行うと（ステップＡ５）、制御部１１は、操作されたキーに対応するリモコン制御コードを記憶部から読み出し、制御コード送信部１６から、被制御装置２の制御コード受信部２４へ送信する（ステップＡ６）。
【００３０】
被制御装置２では、制御コード受信部２４で受信されたリモコン制御コードが制御部２１へ出力される。制御部２１は、入力されたリモコン制御コードに従って被制御装置基本部２２の制御を実行する（ステップＡ７）。
【００３１】
以後、リモコンモードが解除されるまで、ステップＡ５からＡ７の処理が繰り返し実行される。なお、図３の画像Ｂ５にてリモコンモードにしないことを指令した場合には、処理を終了する。この場合、記憶部１４に被制御装置２のリモコン制御コードが格納された状態で処理が終わる。
【００３２】
図４は、図１の狭域通信部１７および狭域通信部２５をオンにし、互いの狭域通信部１７、２５による識別コードの要求と応答を行う場合の動作を示すシーケンス図であり、図５は、その場合の表示部１５における表示画像の一例を示す図である。
【００３３】
まず、ユーザは、携帯電話端末１を被制御装置２の方向に向けて近づけ、互いに狭域通信可能な状態にする。そして、キー入力部１３を操作し、被制御装置２の識別コードを問い合わせる指令を入力する。すなわち、図５の画面Ｄ１において実行キーを押す。制御部１１は、ユーザによるキー入力を検出すると、被制御装置２の識別コードを要求するコマンドを狭域通信部１７から被制御装置２の狭域通信部２５へ送信する（図４のステップＣ１）。
【００３４】
狭域通信部２５で受信されたコマンドは、制御部２１へ送られる。制御部２１は、記憶部２３から被制御装置２の識別コードを読み出し、狭域通信部２５を用いて携帯電話端末１へ送信する（ステップＣ２）。
【００３５】
携帯電話端末１では、狭域通信部１７で受信された識別コードが制御部１１へ送られる。制御部１１は、識別コードを受け取ると、表示部１５を制御して画像Ｄ２を表示する。ここでは、被制御装置２の識別コードは、ナビＸＸ−ＹＹＹＹであったものとする。ユーザが画像Ｄ２を見てナビＸＸ−ＹＹＹＹのリモコン制御コードをダウンロードする指令を入力すると、制御部１１は、携帯電話基本部１２により、ナビＸＸ−ＹＹＹＹのリモコン制御コードを要求するコマンドを携帯電話ネットワーク４を通してセンタ装置３へ送信する（ステップＣ３）。
【００３６】
以後のステップＣ４からＣ９は、図２におけるステップＡ２からＡ７の処理と同じであり、その時に表示部１５に表示される画像である画像Ｄ３からＤ５は、図３における画像Ｂ３からＢ５と同じであるため、説明を省略する。
【００３７】
図６は、図４に示したシーケンスの変形例を示す図である。この図において、ステップＥ１は図４におけるステップＣ１からＣ３と同じである。また、図６のステップＥ２は図４のステップＣ５と同じである。
【００３８】
次に、携帯電話端末１の狭域通信部１７と被制御装置２の狭域通信部２５とが通信可能か否か検出し（ステップＥ３）、通信可能なときに次のステップＥ４へ移行する。ステップＥ４からＥ７は図４におけるステップＣ６からＣ９と同じであるため、説明を省略する。つまり、図６のシーケンスの特徴は、携帯電話端末１の狭域通信部１７と被制御装置２の狭域通信部２５が通信可能であることにより、携帯電話端末１から被制御装置２までの距離が一定値以下であり、制御コード送信部１６から送信されるリモコン制御コードが制御コード受信部２４であると判断し、リモコンモードに移行することである。
【００３９】
図７は、予めセンタ装置３からダウンロードして記憶部１４に保存しておいたリモコン制御コードを用いてリモコン制御を行う場合に表示部１５に表示される画像を示す図である。
【００４０】
以前にセンタ装置３からダウンロードしたリモコン制御コードが記憶部１４に保存されている場合、ユーザが携帯電話端末１のキー入力部１３を操作しリモコン制御を行うときに、記憶部１４に保存されているリモコン制御コードにより制御可能な被制御装置のリストが表示される（図７の画像Ｆ１）。ユーザがこのリストの中から所望の被制御装置を選択すると（図７ではナビＸＸ−ＸＸＸＸが選択されている）、携帯電話端末１はリモコンモードに移行する。なお、リモコンモードに移行する際に図６のステップＥ３の処理を実行し、携帯電話端末１と被制御装置２とが一定距離内に接近しているときのみ、リモコンモードに移行するように制御しても良い。
【００４１】
図８は、携帯電話端末１と被制御装置２との互いの狭域通信部１７、２５を通信可能な状態にした後にリモコンモードに移行するまでの間に表示部１５に表示される画像を示す図である。
【００４２】
携帯電話端末１と被制御装置２とを接近させ、互いの狭域通信部１７、２５が通信可能な状態になると、図４のステップＣ１およびＣ２の処理を行うとにより、携帯電話端末１の制御部１１は被制御装置２の識別コードを認識する。ここでは、被制御装置２の識別コードはナビＸＸ−ＹＹＹＹであったものとする。次に、制御部１１は、記憶部１４内を検索し、ナビＸＸ−ＹＹＹＹのリモコン制御コードが保存されているか否かを判定する。
【００４３】
判定の結果、ナビＸＸ−ＹＹＹＹのリモコン制御コードが保存されていなかった場合は、画像Ｇ３を表示する。ここで、ユーザがリモコン制御コードをダウンロードする指令を入力すると、図２のステップＡ２およびＡ３と同じ手順により、ナビＸＸ−ＹＹＹＹのリモコン制御コードをダウンロードし画像Ｇ４を表示する。リモコンモードへ移行することをユーザが指令すると、図２のステップＡ４と同じ処理を行い、リモコンモードに移行して画像Ｇ５を表示する。
【００４４】
ナビＸＸ−ＹＹＹＹのリモコン制御コードが記憶部１４に保存されていると判定した場合は、携帯電話端末１が自動リモコン移行モードに設定されているか手動リモコン移行モードに設定されているかにより、異なる処理となる。ここで、自動または手動の設定は、予めキー入力部１３により行われる。自動リモコン移行モードに設定されている場合は、画像Ｇ１を表示してリモコンモードに移行することをユーザに知らせた後、リモコンモードに移行して画像Ｇ５を表示する。手動リモコン移行モードに設定されている場合は、画像Ｇ２を表示してユーザに対し、リモコンモードに移行するか否かを問い合わせ、ユーザがリモコンモードに移行することを指令した場合には、リモコンモードに移行して画像Ｇ５を表示する。
【００４５】
図９は、リモコンモードに移行した後、テレビジョン受信機（図中ではＴＶと記載）のリモコン操作を行うときに、被制御装置２であるテレビジョン受信機に設定されているデータをリモコン装置である携帯電話端末１に送信し同期化するときに表示部１５に表示される画像を示す図である。
【００４６】
リモコンモードに移行し、携帯電話端末１の表示部１５に画像Ｈ１が表示されている状態において、携帯電話端末１を被制御装置２であるテレビジョン受信機の方向に向け、互いの狭域通信部１７、２５を通信可能な状態にする。この状態から、ユーザがキー入力部１３を操作してメニューより画面同期を選択し、リモコン装置をテレビジョン受信機に設定されているデータに同期させる指令を入力する（画面Ｈ２）と、制御部１１は、狭域通信部１７から、被制御装置２の狭域通信部２５に対して、設定されているデータを要求するコマンドを送信する。
【００４７】
被制御装置２であるテレビジョン受信機では、狭域通信部２５で受信されたコマンドは制御部２１へ送られる。制御部２１は、被制御装置基本部２２に設定されているデータを読み出し、狭域通信部２５を用いて携帯電話端末１へ送信する。
【００４８】
携帯電話端末１では、狭域通信部１７で受信されたデータが制御部１１へ送られる。制御部１１は、受け取ったデータにより、表示部１５に表示される画像を同期化前の画像Ｈ１から画像Ｈ３に変更する。ここでは、テレビジョン受信機のチューナのチャンネルデータ（テレビ局名／チャンネル割当て）にリモコン操作時の画面が同期化されたことを示している。
【００４９】
図１０は、リモコンモードに移行した後、双方向デジタルテレビジョン受信機（図中ではＤ−ＴＶと記載）のリモコン操作を行うときに、被制御装置２である双方向デジタルテレビジョン受信機で受信中の番組の画面をリモコン装置である携帯電話端末１に送信し同期化するときに表示部１５に表示される動作を説明するための図である。
【００５０】
リモコンモードに移行し、携帯電話端末１の表示部１５に画像Ｊ１（図１０（ａ））が表示されている。このとき、被制御装置２である双方向デジタルテレビジョン受信機の画面には図１０（ｂ）に示すものが表示されている。この状態において、図９の場合と同様に、携帯電話端末１を被制御装置２の方向に向け、互いの狭域通信部１７、２５を通信可能な状態にする。ここでは、図９の場合と異なり、ユーザによる同期化指令を要せず自動的に同期化を行う。互いの狭域通信部１７、２５が通信可能な状態になると、制御部１１は、狭域通信部１７から、被制御装置２の狭域通信部２５に対して、受信し表示している画像データを要求するコマンドを送信する。
【００５１】
被制御装置２であるデジタルテレビジョン受信機では、狭域通信部２５で受信されたコマンドは制御部２１へ送られる。制御部２１は、被制御装置基本部２２で表示している画像データを読み出し、狭域通信部２５を用いて携帯電話端末１へ送信する。
【００５２】
携帯電話端末１では、狭域通信部１７で受信された画像データが制御部１１へ送られる。制御部１１は、受け取った画像データにより、表示部１５に表示される画像を同期化前の画像Ｊ１から画像Ｊ２（図１０（ｃ））に変更する。ここでは、デジタルテレビジョン受信機の画面にはクイズおよびその解答の選択画像が表示されており、携帯電話端末１の表示部１５にも同じ画像が表示されている。そして、表示部１５を見ながら、その画面上でカーソルをクイズの解答の位置に合わせると、その解答が狭域通信により携帯電話端末１から被制御装置２である双方向デジタルテレビジョン受信機へ送信され、被制御装置２から放送局へ送信される。
【００５３】
図１１は、エアコンを被制御装置とした場合に、リモコンモード移行後に携帯電話端末１の表示部１５に表示される画像を示す図である。この図の（ａ）は温度設定画面である。この温度設定画面において、現在温度は、被制御装置２であるエアコンから狭域通信により取得したものである。取得の手順は、図９および図１０の場合と同様であるため、説明を省略する。図１１（ｂ）は風向設定画面、図１１（ｃ）は風量設定画面である。
【００５４】
このように、本発明の第１の実施の形態によれば、予め被制御装置２のリモコン制御コードを携帯電話端末１に登録しておかなくても、必要時にセンタ装置３からダウンロードすることで携帯電話端末１を被制御装置２のリモコン装置としても使用することができる。
【００５５】
また、センタ装置３に既存の電子装置を含む多種多様な被制御装置２のリモコン制御コードを登録しておくことで携帯電話端末１を多種多様な被制御装置２のリモコン装置としても使用することができる。
【００５６】
さらに、携帯電話端末１を被制御装置２と狭域通信により通信可能にすることにより、被制御装置２の識別コードを自動的に取得し、その識別コードに対応する被制御装置２のリモコン制御コードをダウンロードすることができるので、ユーザが被制御装置２の識別コードを入力する手間を省くことができる。
【００５７】
そして、携帯電話端末１を被制御装置２と狭域通信により通信可能にすることにより、自動的にリモコンモードに移行させることができるので、ユーザが手動操作でリモコンモードに移行させる手間を省くことができる。
【００５８】
また、被制御装置２に設定されているデータを携帯電話端末１に転送し、そのデータの内容を表示部１５で表示するので、リモコン操作の操作性が向上する。
【００５９】
（第２の実施の形態）
本発明の第２の形態のリモコンシステムは、図１２に示すように、携帯情報端末５と、被制御装置２と、センタ装置３とを具備する。この図において、図１の構成要素と同一または対応する構成要素には、図１で使用した符号が付されている。つまり、被制御装置２の構成ならびに動作、およびセンタ装置３の構成ならびに動作は、第１の実施の形態と同じである。
【００６０】
携帯情報端末５は、一般にＰＤＡ（Ｐｅｒｓｏｎａｌ　Ｄｉｇｉｔａｌ　Ａｓｓｉｓｔａｎｔｓ）と呼ばれているものである。携帯情報端末５には通信機６が接続されている。通信機６は、いわゆる携帯電話やＰＨＳなどの携帯電話端末であり、携帯電話ネットワーク４により、センタ装置３と通信を行うことができる。携帯情報端末５の構成要素である、制御部５１、キー入力部５２、記憶部５３、表示部５４、制御コード送信部５５、狭域通信部５６は、それぞれ図１における制御部１１、キー入力部１３、記憶部１４、表示部１５、制御コード送信部１６、狭域通信部１７と同様に構成されている。携帯情報端末５は、通信機６を介して携帯電話ネットワーク４に接続されており、センタ装置３の制御コードＤＢ３４に格納されているリモコン制御コードをダウンロードすることができる。つまり、本実施の形態では、通信機６が図１における携帯電話基本部１２の作用を行うものであり、その他は第１の実施の形態と同じであるため、動作説明を省略する。
【００６１】
なお、本発明は、以上の第１および第２の実施の形態に限定されるものではなく、例えば下記（１）から（５）のような変形が可能である。
【００６２】
（１）被制御装置２のリモコン制御コードをパーソナルコンピュータ（図示せず）に格納しておき、携帯電話端末１を有線または狭域通信によりそのパーソナルコンピュータ通信可能に構成し、そのパーソナルコンピュータからリモコン制御コードをダウンロードする。
【００６３】
（２）被制御装置２のリモコン制御コードを被制御装置２に格納しておき、狭域通信によりリモコン制御コードを受信しダウンロードする。
【００６４】
（３）制御コード送信部１６および制御コード受信部２４を省略し、狭域通信部１７、２５にリモコン制御コードの送受信機能を持たせる。
【００６５】
（４）狭域通信部１７、２５を省略する。この場合、図２に示したシーケンスでリモコン制御コードをダウンロードし、リモコンモードへ移行する。
【００６６】
（５）多種多様な被制御装置の識別コードを携帯電話端末１の記憶部１４ではなくセンタ装置３内に格納しておき、携帯電話端末１の要求により、携帯電話端末１へ送信する。
【００６７】
【発明の効果】
以上説明したように、本発明によれば、既存の製品であるか新製品であるかを問わず、センタ装置にリモコン制御コードを登録しておくことにより、赤外線等汎用的な制御方法を用いた装置の遠隔制御はすべて携帯電子装置で出来るようになる。
【図面の簡単な説明】
【図１】本発明の第１の実施の形態のリモコンシステムの構成を示す図、
【図２】携帯電話端末がリモコン制御コードをダウンロードしリモコンモードに移行するまでの通信シーケンスの一例を示す図、
【図３】携帯電話端末がリモコン制御コードをダウンロードしリモコンモードに移行するときの表示画面の一例を示す図、
【図４】携帯電話端末がリモコン制御コードをダウンロードしリモコンモードに移行するまでの別の通信シーケンスの一例を示す図、
【図５】携帯電話端末がリモコン制御コードをダウンロードしリモコンモードに移行するときの表示画面の別の一例を示す図、
【図６】携帯電話端末がリモコン制御コードをダウンロードしリモコンモードに移行するまでのさらに別の通信シーケンスの一例を示す図、
【図７】携帯電話端末に保存しておいたリモコン制御コードを読み出してリモコンモードに移行するときの表示画面の一例を示す図、
【図８】携帯電話端末と被制御装置とを狭域通信可能な状態にした後にリモコンモードに移行するまでの間に表示部に表示される画像を示す図、
【図９】テレビジョン受信機を遠隔制御するときの表示画面の一例を示す図、
【図１０】デジタルテレビジョン受信機を遠隔制御するときの表示画面の一例を示す図、
【図１１】エアコンを遠隔制御するときの表示画面の一例を示す図、
【図１２】本発明の第２の実施の形態のリモコンシステムの構成を示す図である。
【符号の説明】
１　携帯電話端末
２　被制御装置
３　センタ装置
４　携帯電話ネットワーク
５　携帯情報端末
６　通信機
１３、５２　キー入力部
１４、５３　記憶部
１５、５４　表示部
１６、５５　制御コード送信部
１７、２５、５６　狭域通信部
２４　制御コード受信部
３４　制御コードＤＢ
【図１】
2004128859.tif 000003
【図２】
2004128859.tif 000004
【図３】
2004128859.tif 000005
【図４】
2004128859.tif 000006
【図５】
2004128859.tif 000007
【図６】
2004128859.tif 000008
【図７】
2004128859.tif 000009
【図８】
2004128859.tif 000010
【図９】
2004128859.tif 000011
【図１０】
2004128859.tif 000012
【図１１】
2004128859.tif 000013
【図１２】
2004128859.tif 000014